(57)【要約】      （修正有）【課題】シンプルな構成でありながらも可愛らしい子供服を提供する。【解決手段】袖口１３ａの全周に渡って設けられた第１のひだ飾り部１４と、上衿外縁部１７ａから下衿外縁部１８ａ更には前身頃縁部１１ａを介して裾１１ｂ全周の縁部にまで渡って設けられた第２のひだ飾り部１９と、前身頃１１に備わるポケットフラップ外縁部１５ａに設けられた第３のひだ飾り部１６を備えたジャケット１０と、裾の全周に渡って設けられた第４のひだ飾り部と、複数の段切替部を設けることで３段以上の層状領域を有するティアードスカートとを備えて子供服セットを構成する。【選択図】図１
0003165740.tif 000002
【実用新案登録請求の範囲】
【請求項１】
袖口の全周に渡って設けられた第１のひだ飾り部と、上衿外縁部から下衿外縁部更には前身頃縁部を介して裾全周の縁部にまで渡って設けられた第２のひだ飾り部と、前身頃に備わるポケットフラップ外縁部に設けられた第３のひだ飾り部を備えたジャケットと、
裾の全周に渡って設けられた第４のひだ飾り部と、複数の段切替部を設けることで３段以上の層状領域を有するティアードスカートと、を備える
ことを特徴とする子供服セット。
【請求項２】
請求項１において、
前記第１〜第３のひだ飾り部に使用されている色柄と、前記層状領域に使用されている色柄とか統一されている
ことを特徴とする子供服セット。
【請求項３】
請求項２において、
前記色柄がチェック柄である
ことを特徴とする子供服セット。
【請求項４】
請求項１において、
前記第１〜第４のひだ飾り部が統一のレース飾りにより構成されている
ことを特徴とする子供服セット。
【請求項５】
請求項１〜４のいずれかにおいて、
前記ティアードスカートが、外側スカート部と内側スカート部の二重構造とされていて、当該内側スカート部の裾の全周にも前記外側スカート部の裾の全周に設けられているひだ飾り部と同一のひだ飾り部が備わる
ことを特徴とする子供服セット。
【請求項６】
請求項１〜５のいずれかにおいて、
更に、前記層状領域に使用されている模様と統一の色柄が使用された本体部と、当該本体部の裾全周に渡って設けられた第５のひだ飾り部を有するレッグウォーマーを備える
ことを特徴とする子供服セット。  
【請求項７】
請求項１〜６のいずれかにおいて、
更に、前記層状領域に使用されている模様と統一の色柄が使用されたネクタイを備える
ことを特徴とする子供服セット。
【考案の詳細な説明】
【技術分野】
【０００１】
本考案は、子供服に関し、特に七五三、入園式、卒園式、入学式、卒業式、発表会等の際に着用する子供用の洋服に関するものである。
【背景技術】
【０００２】
従来、七五三、入園式、卒園式、入学式、卒業式、発表会等においては、普段とは異なる所謂「晴れ着」が着用される事が多い。多くの場合、昔ながらの羽織袴や、着物、スーツ、ブレザーなどが選択される。
【考案の概要】
【考案が解決しようとする課題】
【０００３】
しかしながら近年、他人のものとは異なる拘った洋服を着用したい（着用させたい）という要望も強い。特に女の子に着せる洋服は、「可愛らしい」、「他人と差別化したい」、「自分を表現したい」といった様々な要求が多く、こういった要求を満たし得る子供服が望まれていた。
【０００４】
出願人はこういった要望を満たすべく、「ひだ飾り」の配置場所やその模様、他の部位との色柄（模様や色彩）の統一性に拘ることで、こういった要求を満たし得る子供服を作り上げようとしたのである。
【課題を解決するための手段】
【０００５】
上記課題を解消するべく、本考案は、袖口の全周に渡って設けられた第１のひだ飾り部と、上衿外縁部から下衿外縁部更には前身頃縁部を介して裾（ジャケットの裾）全周の縁部にまで渡って設けられた第２のひだ飾り部と、前身頃に備わるポケットフラップ外縁部に設けられた第３のひだ飾り部を備えたジャケットと、裾（スカートの裾）の全周に渡って設けられた第４のひだ飾り部と、複数の段切替部を設けることで３段以上の層状領域を有するティアードスカートと、を備えることを特徴とする。
【０００６】
このような構成を採用したことによって、今までにない可愛らしさを備えた洋服セットを提供することが可能となった。特に、洋服全体に渡って特徴的な「ひだ飾り」を使用して可愛らしさを演出し、更に、このひだ飾りを備える部分を工夫したことで、今までにない新しさを表現している。
【０００７】
また、前記第１〜第３のひだ飾り部に使用されている色柄と、前記層状領域に使用されている色柄とを統一して構成してもよい。
【０００８】
このような構成を採用することで、洋服全体の統一感を演出することができ、見た者に対して「纏まっている感じ」を印象付けることができる。
【０００９】
また、前記色柄をチェック柄で構成してもよい。
【００１０】
このような構成を採用したことによって、若々しさや、清楚な感じを演出することができる。
【００１１】
また、前記第１〜第４のひだ飾り部を統一のレース飾りにより構成してもよい。
【００１２】
このような構成を採用したことによって、華やかさ、女性らしさを演出することができる。
【００１３】
また、前記ティアードスカートが、外側スカート部と内側スカート部の二重構造とされていて、当該内側スカート部の裾の全周にも前記外側スカート部の裾の全周に設けられているひだ飾り部と同一のひだ飾り部を備えて構成してもよい。
【００１４】
このような構成を採用したことによって、スカートに、よりボリュームも持たせることができるので、横方向にふんわりと広がったティアードスカートを提供することが可能となる。
【００１５】
また、更に、前記層状領域に使用されている色柄と統一の色柄が使用された本体部と、当該本体部の裾全周に渡って設けられた第５のひだ飾り部を有するレッグウォーマーを備えて構成してもよい。
【００１６】
このような構成を採用したことによって、より全体としての統一感を演出した子供服セットを提供することが可能となる。
【００１７】
また、更に、前記層状領域に使用されている色柄と統一の色柄が使用されたネクタイを備えて構成してもよい。
【００１８】
このような構成を採用したことによって、より全体としての統一感を演出した子供服セットを提供することが可能となる。
【００１９】
本考案により、今までにない可愛らしさを備えた子供服を提供することができる。
【００２０】
なお、当該実用新案登録請求の範囲及び明細書において、「統一の」とは、全く同一の色柄（模様や色彩）が含まれることは勿論であるが、柄のサイズやピッチ等が異なるものの色目や柄の特徴的な要素が共通することによって、共通の美観を呈するものも含まれ得る概念である。
【図面の簡単な説明】
【００２１】
【図１】本考案の子供服セットを構成するジャケットの正面図である。
【図２】本考案の子供服セットを構成するジャケットの背面図である。
【図３】本考案の子供服セットを構成するティアードスカートの正面図である。
【図４】本考案の子供服セットを構成するティアードスカートの分解斜視図である。
【図５】本考案の子供服セットを構成するティアードスカートの斜視図であって、外スカートの一部を捲り上げて内スカートの一部を露出させた状態を示した図である。
【図６】着用状態を示した図である。
【考案を実施するための形態】
【００２２】
以下、添付図面を参照しつつ、本考案の実施形態の一例につき詳細に説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２３】
〈子供服セットの構成〉
本考案にかかる子供服セット１は、ジャケット１０、ティアードスカート３０、ブラウス７０、ネクタイ６０及びレッグウォーマー５０により構成されている（図６参照）。
【００２４】
図１及び図２に示しているように、ジャケット１０は、上衿１７と下衿１８、及び身頃（前身頃）１１にポケットフラップ１５を備えた長袖のジャケットである。袖１０の袖口付近はテーパ状に広がる袖口拡開部１３が設けられており、更にその端部である袖口１３ａには全周に渡ってひだ飾り部（ひだ状にギャザーが発生するように縫い付けられた飾り：第１のひだ飾り部）１４が設けられている。またこのひだ飾り部１４は、チェック柄の生地で構成されている。
【００２５】
当該ジャケット１０は、上衿１７の縁である上衿外縁部１７ａから下衿１８の縁である下衿外縁部１８ａ、更には身頃（前身頃）１１の縁部１１ａを介して（当該ジャケット１０の）裾１１ｂ全周の縁部にまで渡ってひだ飾り部（第２のひだ飾り部）１９が設けられている。またこのひだ飾り部１９も、１段目層状領域３２、２段目層状領域３３、３段目層状領域３４、４段目層状領域３５要するに、身頃部分の縁という縁を（衿から裾に至るまで全て）、ぐるりとひだ飾り部１９で装飾している構造である。
【００２６】
また、身頃（前身頃）１１に備わる２つのポケットフラップ１５の外縁部１５ａにもひだ飾り部（第３のひだ飾り部）１６が備わっている。またこのひだ飾り部１６も、第１、第２のひだ飾り部１４、１９と同じチェック柄の生地で構成されている。
【００２７】
図３乃至図５に示しているように、ティアードスカート３０は、腰に位置する腰部４９（中にゴムが挿通されている）から大きく扇状に広がるように構成されていて、装着時、下方に向かうに従い周方向にふんわりと広がる形状となるように構成される。本考案にかかるティアードスカート３０は、外側スカート部３０ａと内側スカート部３０ｂの二重構造とされていて（特に図４を参照）、よりボリューム感のある構成となっている。
【００２８】
外側スカート部３０ａは、開口部３１を取り巻く腰部４９から、順に下方に、夫々大きさの異なる略ドーナツ形状の１段目層状領域３２、２段目層状領域３３、３段目層状領域３４、４段目層状領域３５が順に縫い付けられている。更に裾（ティアードスカート３０の裾）の全周に渡ってひだ飾り部（第４のひだ飾り部）３６が縫い付けられている。この第４のひだ飾り部３６は、細長いレース生地にギャザーが発生するように４段目層状領域３５の下端縁に縫い付けられている。なお、１段目層状領域３２、２段目層状領域３３、３段目層状領域３４及び４段目層状領域３５はいずれも同じ色柄（模様や色彩）の生地が使用されていて、更に、ジャケット１０側の第１〜第３のひだ飾り部１４、１６、１９と模様の大きさは異なるものの「統一のチェック柄」で構成されている。
【００２９】
また、１段目層状領域３２と２段目層状領域３３の境目が第１の段切替部３７であり、２段目層状領域３３と３段目層状領域３４の境目が第２の段切替部３８であり、３段目層状領域３４と４段目層状領域３５の境目が第３の段切替部３９である。これら段切替部３７、３８、３９では夫々ギャザー（ひだ）を発生させるように縫い付けが行われている。即ち、第１の段切替部３７においては、１段目層状領域３２の下端縁に対して２段目層状領域３３の上端縁がひだ状に折り込まれつつ縫製されている。同様に、第２の段切替部３８においては、２段目層状領域３３の下端縁に対して３段目層状領域３４の上端縁がひだ状に折り込まれつつ縫製されている。同様に、第３の段切替部３９においては、３段目層状領域３４の下端縁に対して４段目層状領域３５の上端縁がひだ状に折り込まれつつ縫製されている。このように構成されていることによって、裾側（ティアードスカート３０の裾側）に向かうに従い周方向に大きく広がるスカート形状を実現している。
【００３０】
また当該ティアードスカート３０は、二重構造となっていて、外側スカート部３０ａの内側に内側スカート部３０ｂが備わっている。内側スカート部３０ｂは、外側スカート部３０ａの一部と略同じ構成である。具体的には、上側スカート部３０ａの２段目層状領域３３から下（裾側）の構成と同じである。異なる点は、下側スカート部３０ｂの１段目層状領域４２（上側スカート部３０ａの２段目層状領域３３に相当する）の模様が無地であるという点のみである。もちろん当該領域についても統一のチェック柄の生地で構成することも可能である。
【００３１】
ブラウス７０は、本実施形態では無地のシンプルなものであるが、衿の周囲や胸回りなどにひだ飾りを付けたものであってもよい。
【００３２】
ネクタイ６０は、本実施形態では「統一のチェック柄」の生地で作られている。図面上はごく普通の形状のネクタイであるが、より丸みを帯びた形状であってもよいし、更にネクタイの外周縁に「統一の色柄」のひだ飾りを設けるような構成としてもよい。
【００３３】
レッグウォーマー５０は、各層状領域３３、３４、３５に使用されている色柄と統一の色柄が使用され、脹脛部を覆う本体部５０ａと、当該本体部５０ａの下方に縫い付けられ足首部分を覆う拡開部５０ｂと当該拡開部５０ｂの下端縁（裾）の全周に渡って設けられたひだ飾り部（第５のひだ飾り部）５０ｃを有して構成されている。またこの第５のひだ飾り部５０ｃにおいても「統一のチェック柄」が使用されている。
【００３４】
また、上記では、第１のひだ飾り部１４、第２のひだ飾り部１９、第３のひだ飾り部１６及び第５のひだ飾り部５０ｃがいずれも「統一のチェック柄」で構成されていたがこれに限られるものではない。例えばこれらひだ飾りを全てティアードスカート３０の裾に備わる第４のひだ飾り部３６の色柄（ここではレース生地）と同じとなるように構成してもよい。このように構成したとしても、全体としての纏まり感、一体感を表現することができ、今までにない斬新な可愛らしさを備えた子供服セットを提供することが可能である。
【００３５】
また上記ではチェック柄を例に説明しているが、チェック柄以外の柄（例えば水玉、花柄など）で統一の色柄（模様・色彩）としてもよい。
【００３６】
また、図面に表現されているひだ飾りの「ひだ」のピッチや大きさはあくまで一例を示したものに過ぎず、必要に応じて適宜調整することが可能である。
【符号の説明】
【００３７】
１・・・子供服セット
１０・・・ジャケット
１１・・・身頃
１１ａ・・・前身頃縁部
１１ｂ・・・裾部（ジャケット裾部）
１２・・・袖
１３・・・袖口拡開部
１３ａ・・・袖口
１４・・・第１のひだ飾り部
１５・・・ポケットフラップ
１６・・・第３のひだ飾り部
１７・・・上衿（カラー）
１７ａ・・・上衿外縁部
１８・・・下衿（ラペル）
１８ａ・・・下衿外縁部
１９・・・第２のひだ飾り部
３０・・・ティアードスカート
３１・・・開口部
３２・・・１段目層状領域
３３・・・２段目層状領域
３４・・・３段目層状領域
３５・・・４段目層状領域
３６・・・第４のひだ飾り部
３７・・・第１の段切替部
３８・・・第２の段切替部
３９・・・第３の段切替部
５０・・・レッグウォーマー
６０・・・ネクタイ
【図１】
0003165740.tif 000003
【図２】
0003165740.tif 000004
【図３】
0003165740.tif 000005
【図４】
0003165740.tif 000006
【図５】
0003165740.tif 000007
【図６】
0003165740.tif 000008